(57)【要約】【課題】  正面方向への空気の流れを容易に実現することができる床置き型空気調和機を提供する。【解決手段】  床置き型空気調和機１は、ケーシング４と第１垂直フラップ５１と第２垂直フラップ７１とを備える。ケーシング４には、正面視において横方向Ｄ１に並んで配置され調和された空気が吹き出す第１吹出口１２および第２吹出口１３が設けられる。第１垂直フラップ５１は、開状態において第１吹出口１２から吹き出される空気を案内する第１板部５２を有し、第１吹出口１２を開閉可能である。第２垂直フラップ７１は、開状態において第２吹出口１３から吹き出される空気を案内する第２板部７２を有し、第２吹出口１３を開閉可能である。そして、第１板部５２は、正面に垂直な方向に略平行な状態において第１吹出口１２の中心よりも外側に位置し、また、第２板部７２は、正面に垂直な方向に略平行な状態において第２吹出口１３の中心よりも外側に位置する。【選択図】      図３
2006064217.tif 000002
【特許請求の範囲】
【請求項１】
正面視において横方向（Ｄ１）に並んで配置され調和された空気が吹き出す第１吹出口（１２）および第２吹出口（１３）が設けられたケーシング（４）と、
開状態において前記第１吹出口（１２）から吹き出される空気を案内する第１板部（５２）を有し前記第１吹出口（１２）を開閉可能な第１フラップ（５１）と、
開状態において前記第２吹出口（１３）から吹き出される空気を案内する第２板部（７２）を有し前記第２吹出口（１３）を開閉可能な第２フラップ（７１）と、
を備え、
前記第１板部（５２）は、正面に垂直な方向に略平行な状態において前記第１吹出口（１２）の中心よりも外側に位置し、
前記第２板部（７２）は、正面に垂直な方向に略平行な状態において前記第２吹出口（１３）の中心よりも外側に位置する、
床置き型空気調和機（１）。
【請求項２】
前記第１フラップ（５１）は、鉛直方向に延び前記第１吹出口（１２）の中心よりも外側に位置する第１回転軸（ＡＸ１）を有し、
前記第２フラップ（７１）は、鉛直方向に延び前記第２吹出口（１３）の中心よりも外側に位置する第２回転軸（ＡＸ２）を有する、
請求項１に記載の床置き型空気調和機（１）。
【請求項３】
前記第１フラップ（５１）は、閉状態の前記第１板部（５２）の内側端部が前記第１吹出口（１２）の外側端部側へ近接するように回転することによって前記第１吹出口（１２）を開き、
前記第２フラップ（７１）は、閉状態の前記第２板部（７２）の内側端部が前記第２吹出口（１３）の外側端部側へ近接するように回転することによって前記第２吹出口（１３）を開く、
請求項２に記載の床置き型空気調和機（１）。
【請求項４】
前記第１板部（５２）は、全開状態においてその前端部が前記第１吹出口（１２）の外側端部よりも外側に位置し、
前記第２板部（７２）は、全開状態においてその前端部が前記第２吹出口（１３）の外側端部よりも外側に位置する、
請求項１から３のいずれかに記載の床置き型空気調和機（１）。
【発明の詳細な説明】
【技術分野】
【０００１】
本発明は、床置き型空気調和機に関する。
【背景技術】
【０００２】
調和された空気を室内へと吹出して室内の空気調和を行う空気調和機の１つに、いわゆる床置き型空気調和機がある。この床置き型空気型調和機は、室内の床に設置されるタイプの空気調和機であり、正面視において横方向に距離を隔てて２つの吹出口が設けられたケーシングを備える床置き型空気調和機が知られている。吹出口にはフラップがそれぞれ設けられており、これらのフラップは、閉状態では吹出口を閉じ、開状態では吹出口から吹き出される空気を案内する。
【０００３】
このような床置き型空気調和機において吹出口が開かれるときのフラップの動作を説明すると、まず、閉状態の各フラップの外側端部がケーシングの前方へと移動するように鉛直方向に平行な軸を中心に回転移動してフラップが開状態へと移行する。そして、フラップがケーシングの正面に垂直な方向に略平行となるまで回転する。このとき、フラップは吹出口の中心よりも内側に位置している（特許文献１参照）。このように、各フラップは、ケーシングの正面視において各吹出口の中心よりも内側に偏心した状態に開かれる。
【特許文献１】特開２００３−３４３８７１号公報  （第３図）
【発明の開示】
【発明が解決しようとする課題】
【０００４】
フラップは開状態において吹出口から吹き出される空気を案内する機能を有するため、上記のような開状態のフラップの態様は、室内へと吹き出される空気の流れに影響を与える。すなわち、フラップが吹出口の中心よりも内側に位置する場合、フラップが内側へ向いて開いた状態となっても、空気の吹き出しが外側へ分散する恐れがある（図１３（ａ）参照）。この場合、吹出口から正面方向へ吹き出す空気が弱まってしまう。このように、床置き型空気調和機において、フラップが吹出口の中心よりも内側に位置するように開かれる場合には、左右に幅広く吹き出され室内を包み込むような空気の流れは容易に実現される一方、正面方向へ直進する空気の流れを実現させることは困難である。このため、床置き型空気調和機が奥行き方向に広い長細い形状の部屋の隅に設置されると、空気の流れが部屋の奥まで十分に到達しない恐れがある。
【０００５】
本発明の課題は、正面方向への空気の流れを容易に実現することができる床置き型空気調和機を提供することにある。
【課題を解決するための手段】
【０００６】
第１発明にかかる床置き型空気調和機は、ケーシングと第１フラップと第２フラップとを備える。ケーシングには、正面視において横方向に並んで配置され調和された空気が吹き出す第１吹出口および第２吹出口が設けられる。第１フラップは、開状態において第１吹出口から吹き出される空気を案内する第１板部を有し、第１吹出口を開閉可能である。第２フラップは、開状態において第２吹出口から吹き出される空気を案内する第２板部を有し、第２吹出口を開閉可能である。そして、第１板部は、正面に垂直な方向に略平行な状態において第１吹出口の中心よりも外側に位置し、また、第２板部は、正面に垂直な方向に略平行な状態において第２吹出口の中心よりも外側に位置する。
【０００７】
この床置き型空気調和機では、開状態において、第１板部が第１吹出口の中心よりも外側に位置し、第２板部が第２吹出口の中心よりも外側に位置する。すなわち、開状態において、空気を案内する各板部がケーシングの正面視において吹出口の外側寄りに配置されている。従って、フラップが内側へ向いて開かれた状態において、吹出口から吹き出された空気が外側へと分散することがフラップによって制限される。このため、空気の吹き出しを正面方向へ容易に集約することができる。これにより、この床置き型空気調和機では、正面方向への空気の流れを容易に実現することができる。
【０００８】
第２発明にかかる床置き型空気調和機は、第１発明の床置き型空気調和機であって、第１フラップは、鉛直方向に延び第１吹出口の中心よりも外側に位置する第１回転軸を有する。また、第２フラップは、鉛直方向に延び第２吹出口の中心よりも外側に位置する第２回転軸を有する。
この床置き型空気調和機では、閉状態の第１フラップが第１回転軸を中心に第１板部が第１回転軸よりも外側に位置するまで回転して、第１吹出口を開くことができる。そして、第１中心軸が第１吹出口の中心よりも外側に位置するため、第１吹出口を開いた状態において第１板部が第１吹出口の中心よりも外側に位置する。第２フラップについても同様である。このため、この床置き型空気調和機では、第１フラップおよび第２フラップを回転移動させることで、正面方向への空気の流れを容易に実現することができ、吹出口の開閉のための構造を簡易にすることができる。
【０００９】
第３発明にかかる床置き型空気調和機は、第２発明の床置き型空気調和機であって、第１フラップは、閉状態の第１板部の内側端部が第１吹出口の外側端部側へ近接するように回転することによって第１吹出口を開く。また、第２フラップは、閉状態の第２板部の内側端部が第２吹出口の外側端部側へ近接するように回転することによって第２吹出口を開く。
【００１０】
この床置き型空気調和機では、第１フラップと第２フラップとが上記のように回転して、第１吹出口と第２吹出口とを開く。これにより、空気を案内する各フラップの板部がケーシングの正面視において各吹出口の外側寄りに配置される。これにより、この床置き型空気調和機では、正面方向への空気の流れを容易に実現することができる。
第４発明にかかる床置き型空気調和機は、第１発明から第３発明のいずれかの床置き型空気調和機であって、第１板部は、全開状態においてその前端部が第１吹出口の外側端部よりも外側に位置する。また、第２板部は、全開状態においてその前端部が第２吹出口の外側端部よりも外側に位置する。
【００１１】
この床置き型空気調和機では、各フラップが内側向きだけではなく外側向きにも大きく開くことができる。このため、正面方向への空気の流れだけではなく、横方向へ大きく広がる空気の流れも容易に実現することができる。
【発明の効果】
【００１２】
第１発明にかかる床置き型空気調和機では、空気の吹き出しを正面方向へ容易に集約することができ、正面方向への空気の流れを容易に実現することができる。
第２発明にかかる床置き型空気調和機では、第１フラップおよび第２フラップを回転移動させることで、正面方向への空気の流れを容易に実現することができ、吹出口の開閉のための構造を簡易にすることができる。
【００１３】
第３発明にかかる床置き型空気調和機では、第１フラップと第２フラップと回転して、第１吹出口と第２吹出口とを開き、空気を案内する各フラップの板部がケーシングの正面視において各吹出口の外側寄りに配置される。これにより、この床置き型空気調和機では、正面方向への空気の流れを容易に実現することができる。
第４発明にかかる床置き型空気調和機では、各フラップが内側向きだけではなく外側向きにも大きく開くことができるため、正面方向への空気の流れだけではなく、横方向へ大きく広がる空気の流れも容易に実現することができる。
【発明を実施するための最良の形態】
【００１４】
［第１実施形態］
〈構成〉
〔全体構成〕
本発明の第１実施形態が採用された床置き型空気調和機１の外観の正面図を図１に示す。なお、本実施形態において、「横方向」あるいは「左右」というときは、水平方向のうち図１の正面視における左右方向をいうものとする（実線矢印Ｄ１参照）。また、「鉛直方向」或いは「上下」という場合には、図１に示す正面視における上下方向をいうものとする（実線矢印Ｄ２参照）。
【００１５】
この床置き型空気調和機１は、家庭の室内の床Ｆに設置される空気調和機であり、冷暖房等の室内の空気調和を行う。床置き型空気調和機１は、室外に配置される室外機（図示せず）と接続されており、室外機に収容される図示しない圧縮機や室外熱交換器との間で冷媒回路を構成する。この床置き型空気調和機１は、主として、熱交換器２、ファン３、ケーシング４、制御部１０およびリモコン１１を備える。
【００１６】
〔熱交換器〕
熱交換器２は、図２および図３に示すように、ケーシング４の内部に収容されており、ケーシング４内に取り込まれた空気との間で熱交換を行う。熱交換器２は、図２に示すように、床置き型空気調和機１の上半分の位置を占め、後述する第１吹出口１２および第２吹出口１３と同じ高さに配置されている。また、熱交換器２は、図４に示すように、上部が床置き型空気調和機１の後側へ傾斜するように設けられている。なお、図２は、前面パネル４３が取り外された床置き型空気調和機１の正面図であり、図３は図１におけるIII−III断面図であり、図４は図１におけるIV−IV断面図である。
【００１７】
〔ファン〕
ファン３は、ケーシング４の内部に収容されている。ファン３は、室内の空気を後述する吸込み部６（図１参照）からケーシング４内に吸込んだ後、熱交換器２に通し、第１吹出口１２と第２吹出口１３へと送る。ファン３は、床置き型空気調和機１の正面と平行な面内で回転するように配置された一台のシロッコファンであり、図２に示すように、熱交換器２の下方に設けられる。また、ファン３は、図４に示すように、後述する吸込み部６の近傍に配置される。ファン３は、図２に示すように、ファンケーシング３０に収容されている。ファンケーシング３０は、ファン３の側面に沿ってファン３の円周の約４分の３を囲む円弧状の側面３２を有しており、ファン３の側面に対向するように配置されている。ファンケーシング３０は、ファン３の側面の左半分と右側の下半分を囲んでいる。また、ファンケーシング３０には、ファンケーシング出口３１が設けられている。ファンケーシング出口３１は、ファン３から上方の熱交換器２へ向けて空気が出て行く部分であり、ファンケーシング３０に囲まれていないファン３の右側の上半分に面する位置に配置されている。ケーシング出口３１は、ファン３の回転中心から右方向に偏心して設けられる。なお、ファン３は、図２において左回りに回転して熱交換器２へと空気を送る（図２の白抜き矢印Ａ１及び実線矢印Ａ２参照）。
【００１８】
〔ケーシング〕
ケーシング４は、熱交換器２やファン３などを収容する、鉛直方向Ｄ２に長い箱状の部材である。ケーシング４は、図３に示すように、背面４０の角４２が面取りされている。ケーシング４の前面４１は、図１に示すように、前面パネル４３、窪み部４４、傾斜面４５を有する形状となっている。また、ケーシング４は、第１吹出口１２、第２吹出口１３、吸込み部６、第１垂直フラップ部５、第２垂直フラップ部７、第１水平フラップ部８、第２水平フラップ部９を備えている。
【００１９】
前面パネル４３は、ケーシング４の正面にケーシング４の鉛直方向Ｄ２の概ね全体に渡って設けられる平坦な部分である。また、前面パネル４３の上部には、表示部４６が設けられており、表示部４６は、室内温度、室外温度や運転の設定などの情報を表示する。
窪み部４４は、前面パネル４３の側端に沿って設けられた鉛直方向Ｄ２に長い窪みであり、前面パネル４３の両側にそれぞれ設けられている。窪み部４４は、図３に示すように、側面４４０と曲面４４１とにより構成されている。側面４４０は、前面パネル４３と連続しており、前面パネル４３に垂直に設けられている。曲面４４１は、側面４４０と連続しており、さらに傾斜面４５と連続している。
【００２０】
傾斜面４５は、窪み部４４の側方に隣接し前面４１の鉛直方向Ｄ２全体に渡って設けられた傾斜した面である。傾斜面４５は、前面４１の両側端にそれぞれ設けられている。
＜第１吹出口と第２吹出口＞
第１吹出口１２と第２吹出口１３は、ケーシング４の前面４１の上半分に設けられており、熱交換器２により温度調整された空気が吹出す。なお、送風運転時などには第１吹出口１２および第２吹出口１３から温度調整されていない空気が吹き出してもよい。
【００２１】
第１吹出口１２と第２吹出口１３とは、前面４１の両側端に沿って設けられた鉛直方向Ｄ２に長い形状を有する長方形の開口である。第１吹出口１２と第２吹出口１３とは、傾斜面４５の上半分に設けられており、前面パネル４３と窪み部４４を隔てて、左側に第１吹出口１２が設けられ、右側に第２吹出口１３が設けられている。従って、第１吹出口１２と第２吹出口１３とは、正面視において横方向Ｄ１に距離を隔てて並んで配置されている。第１吹出口１２と第２吹出口１３とは、図５に示すように、それぞれ仕切り板４９により上部Ｓ１、中部Ｓ２および下部Ｓ３の３つに分けられている。また、第１吹出口１２および第２吹出口１３の上端部および仕切り板４９には、鉛直方向に突出する突起部１４ａ−１４ｃ，１５ａ−１５ｃがそれぞれ設けられている。第１吹出口１２の上端部には、鉛直方向下向きに突出する突起部１４ａが設けられており、第１吹出口１２の仕切り板４９には、鉛直方向上向きに突出する突起部１４ｂ、１４ｃが設けられている。第１吹出口１２の下端部近傍には、第１フラップモーター５０がその駆動軸の先端が上方を向くように固定されている。そして、突起部１４ａ−１４ｃおよび第１フラップモーター５０の駆動軸は、鉛直方向に距離を隔てて一直線上に並んでおり、後述する第１垂直フラップ５１の第２回転軸ＡＸ１に対応している。同様に、第２吹出口１３の上端部には、鉛直方向下向きに突出する突起部１５ａが設けられており、第２吹出口１３の仕切り板４９には、鉛直方向上向きに突出する突起部１５ｂ、１５ｃが設けられている。第２吹出口１３の下端部近傍には、第２フラップモーター７０がその駆動軸の先端が上方を向くように固定されている。突起部１５ａ−１５ｃおよび第２フラップモーター７０の駆動軸は、鉛直方向に距離を隔てて一直線上に並んでおり、後述する第２垂直フラップ７１の第２回転軸ＡＸ２に対応している。また、第１吹出口１２に設けられた突起部１４ａ−１４ｃおよび第１フラップモーター５０の駆動軸は、第１吹出口１２の中心よりも外側すなわち左側に位置しており、第１吹出口１２の中心と第１吹出口１２の外側端部との間に位置している。なお、ここでいう「中心」とは、横方向Ｄ１における中心を意味しており、以下同様である。第２吹出口１３に設けられた突起部１５ａ−１５ｃおよび第２フラップモーター７０の駆動軸は、第２吹出口１３の中心よりも外側すなわち右側に位置しており、第２吹出口１３の中心と第２吹出口１３の外側端部との間に位置している。なお、各突起部１４ａ−１４ｃ，１５ａ−１５ｃには後述する第１垂直フラップ５１および第２垂直フラップ７１が回転自在に嵌合し、各フラップモーター５０，７０の駆動軸には、第１垂直フラップ５１の下端および第２垂直フラップ７１の下端がそれぞれ固定される。
【００２２】
＜吸込み部＞
吸込み部６は、室内の空気をケーシング４内へと吸込む部分であり、図１に示すように、ケーシング４の前面４１の下半分に設けられている。吸込み部６は、第１吸込み口６１、第２吸込み口６２および側面吸込み口６６，６７により構成される。
第１吸込み口６１と第２吸込み口６２とは、窪み部４４の側面４４０に設けられた開口であり、左側の窪み部４４に第１吸込み口６１が右側の窪み部４４に第２吸込み口６２が設けられている。第１吸込み口６１は、図４に示すように、３つの開口６３，６４，６５により構成されており、鉛直方向Ｄ２に並んで配置されている。最も上に配置される開口６３は、ファン３よりも高い位置に配置され、他の２つの開口６４，６５は、ファン３より低い位置に配置されている。すなわち、第１吸込み口６１は、ファン３に対向しない位置に配置されている。第２吸込み口６２についても同様である。なお、各吸込み口６１，６２が配置される位置は、ファン３に厳密に対向しない位置に限られず、各吸込み口６１，６２の一部がファン３にかかる程度の位置に配置されてもよい。さらに、各吸込み口６１，６２はファン３の上下に分けて配置される場合に限らず、上方向にのみ、あるいは下方向にのみ配置されてもよい。
【００２３】
側面吸込み口６６，６７は、それぞれ床置き型空気調和機１の側面４７の下方にそれぞれ設けられる、図４に示すような鉛直方向Ｄ２に長い開口である。側面吸込み口６６，６７は、幅方向Ｄ３でいえばファン３と前面４１との間に位置している。なお、図４においては、正面視において左側の側面４７に設けられている側面吸込み口６６を図示しているが、右側の側面４７に設けられる側面吸込み口６７についても同様である。
【００２４】
なお、第１吸込み口６１、第２吸込み口６２および側面吸込み口６６，６７に対向して、ケーシング４の下方を覆うフィルタ（図示せず）が設けられている。
＜第１水平フラップ部と第２水平フラップ部＞
第１水平フラップ部８は、第１吹出口１２から吹き出される空気を案内して鉛直方向Ｄ２に吹き分けるための部分である。第１水平フラップ部８は、図５に示すように、複数の第１水平フラップ８０、第１フラップ調整機構２１、第２フラップ調整機構２２および第３フラップ調整機構２３を有している。
【００２５】
複数の第１水平フラップ８０は、第１吹出口１２に鉛直方向Ｄ２に並んで配置され、第１吹出口１２から吹出す空気を鉛直方向Ｄ２に吹き分けるように案内する。本実施形態では、複数の第１水平フラップ８０は、第１水平フラップ群Ｇ１、第２水平フラップ群Ｇ２および第３水平フラップ群Ｇ３の３つのグループに分割されており、１つのグループは、５枚の第１水平フラップ８０を有している。第１水平フラップ群Ｇ１、第２水平フラップ群Ｇ２および第３水平フラップ群Ｇ３は、それぞれ第１吹出口１２の上部Ｓ１、中部Ｓ２、下部Ｓ３に配置されており、鉛直方向Ｄ２に並んでいる。第１水平フラップ８０は、弾性材により形成された薄い板状の形状を呈しており、概ね水平に配置されている。
【００２６】
なお、第１水平フラップ８０は、全体が弾性材により形成される場合に限らず、中央部分など第１水平フラップ８０の一部分が弾性材により形成されていてもよい。また、第１水平フラップ８０は、弾性材により形成されていなくても、第１水平フラップ８０を薄肉の形状に形成するなどして弾性を持たせるようにしたものであってもよい。
第１フラップ調整機構２１は、第１水平フラップ群Ｇ１に属する複数の第１水平フラップ８０の向きを調整可能な機構であり、第１リンク部材８１と第１固定部材８４とを有する。第１リンク部材８１は、図６に示すように、第１水平フラップ群Ｇ１の外側端部の前側近傍を連結する鉛直方向Ｄ２に長い板状の部材である。第１リンク部材８１は、鉛直方向Ｄ２に移動することにより第１水平フラップ群Ｇ１の先端を一体的に鉛直方向Ｄ２に移動させる。また、第１リンク部材８１には、横方向Ｄ１に貫通する第１スリット８０１と第２スリット８０２とが設けられている。第１スリット８０１は、後側に凸に湾曲した形状を呈しており、第１リンク部材８１の上部に設けられる。第２スリット８０２も第１スリット８０１同様の形状を呈しており、第１リンク部材８１の下部に設けられる。第１スリット８０１と第２スリット８０２とには、第１吹出口１２の縁部に設けられた２つの係止爪１２１，１２２がそれぞれ挿入され、係止爪１２１，１２２は第１スリット８０１と第２スリット８０２とにそれぞれ摺動可能に係止する。また、第１リンク部材８１の内側表面の中央近傍であって第１スリット８０１と第２スリット８０２との間には、内側へ向けて突出する操作部８０３が設けられており、使用者は操作部８０３を掴むことによって第１リンク部材８１を鉛直方向Ｄ２に容易に動かすことができる。また、第１リンク部材８１の外側表面には、図７に示すように、内側方向に陥入する複数の凹部８０４が設けられている（なお、図７では、一つの凹部８０４にのみ符号を付して他は省略している）。複数の凹部８０４は、鉛直方向Ｄ２に並んで配置されており、第１吹出口１２の縁部に設けられた突起１２３（図６参照）が挿入される。突起１２３が凹部８０４に挿入されると、突起１２３が凹部８０４に係止して第１リンク部材８１の鉛直方向Ｄ２への動きを規制する。使用者が操作部８０３を摘んで第１リンク部材８１に力を加えると、第１リンク部材８１が移動して突起１２３が異なる凹部８０４に係止する。これによって、第１リンク部材８１が所望の位置に位置決めされる。なお、凹部８０４は鉛直方向Ｄ２に複数並んでいるため、第１リンク部材８１は鉛直方向Ｄ２に複数段階に位置決めが可能である。第１固定部材８４は、図６に示すように、第１水平フラップ群Ｇ１の外側端部の後側に固定されている。また、第１固定部材８４は、図７に示すように、第１水平フラップ群Ｇ１の複数の第１水平フラップ８０に対応して設けられた複数の固定爪８０５と、固定爪８０５に対して隙間を隔てて配置された壁部８０６とを有している。固定爪８０５には返しが設けられており、第１吹出口１２の縁部が固定爪８０５と壁部８０６との隙間に挿入されると、固定爪８０５の返しが縁部に設けられた孔１２４に係止して第１固定部材８４がケーシング４に固定される。
【００２７】
第２フラップ調整機構２２は、第２水平フラップ群Ｇ２に属する複数の第１水平フラップ８０の向きを調整可能な機構であり、第２リンク部材８２と第２固定部材８５とを有する。また、第３フラップ調整機構２３は、第３水平フラップ群Ｇ３に属する複数の第１水平フラップ８０の向きを調整可能な機構であり、第３リンク部材８３と第３固定部材８６とを有する。第２リンク部材８２と第３リンク部材８３も第１リンク部材８１と同様の構成であるが、各リンク部材８１−８３は別体であり、個々に独立して移動可能である。なお、第２リンク部材８２は第２水平フラップ群Ｇ２を連結し、第３リンク部材８３は第３水平フラップ群Ｇ３を連結している。第２固定部材８５は第２水平フラップ群Ｇ２に固定され、第３固定部材８６は第３水平フラップ群Ｇ３に固定されている。
【００２８】
第２水平フラップ部９は、第２吹出口１３から吹き出される空気を鉛直方向Ｄ２に案内する部分である。第２水平フラップ部９は、複数の第２水平フラップ９０、第４フラップ調整機構２４、第５フラップ調整機構２５、第６フラップ調整機構２６を有している。
複数の第２水平フラップ９０は、第２吹出口１３に鉛直方向Ｄ２に並んで配置され、第２吹出口１３から吹出す空気を鉛直方向Ｄ２に案内する。第２水平フラップ９０は、第１水平フラップ８０と同様に、第４水平フラップ群Ｇ４、第５水平フラップ群Ｇ５、第６水平フラップ群Ｇ６の３つのグループに分割されている。第４フラップ調整機構２４は、第４水平フラップ群Ｇ４に属する複数の第２水平フラップ９０の向きを調整可能な機構であり、第４リンク部材９１と第４固定部材９４とを有する。第５フラップ調整機構２５は、第５水平フラップ群Ｇ５に属する複数の第２水平フラップ９０の向きを調整可能な機構であり、第５リンク部材９２と第４固定部材９５とを有する。また、第６フラップ調整機構２６は、第６水平フラップ群Ｇ６に属する複数の第２水平フラップ９０の向きを調整可能な機構であり、第６リンク部材９３と第６固定部材９６とを有する。
【００２９】
第４リンク部材９１は第４水平フラップ群Ｇ４を連結し、第５リンク部材９２は第５水平フラップ群Ｇ５を連結し、第６リンク部材９３は第６水平フラップ群Ｇ６を連結している。第２水平フラップ９０は、第１水平フラップ８０と左右対称に配置されており、第４水平フラップ群Ｇ４が第１水平フラップ群Ｇ１に対応し、第５水平フラップ群Ｇ５が第２水平フラップ群Ｇ２に対応し、第６水平フラップ群Ｇ６が第３水平フラップ群Ｇ３に対応している。また、第２水平フラップ部９の各リンク部材９１−９３も第１水平フラップ部８の各リンク部材８１−８３と同様の構成であり、左右対称となっている。固定部材９４−９６についても同様である。
【００３０】
上記のように、第１水平フラップ８０および第２水平フラップ９０は、後側が固定部材８４−８６，９４−９６によって固定され、前側がリンク部材８１−８３，９１−９３によって移動自在に連結されている。このため、リンク部材８１−８３，９１−９３が移動することによって柔軟な第１水平フラップ８０および第２水平フラップ９０が変形する。例えば、リンク部材８１−８３，９１−９３が上方へと移動すると、第１水平フラップ８０および第２水平フラップ９０の先端が上方へ向くように第１水平フラップ８０および第２水平フラップ９０が湾曲する（図１１（ａ）参照）。また、リンク部材８１−８３，９１−９３が下方へと移動すると、第１水平フラップ８０および第２水平フラップ９０の先端が下方へ向くように第１水平フラップ８０および第２水平フラップ９０が湾曲する（図１１（ｂ）参照）。このようにして、リンク部材８１−８３，９１−９３の移動によって第１水平フラップ８０および第２水平フラップ９０による空気の案内方向を変更することができる。
【００３１】
＜第１垂直フラップ部と第２垂直フラップ部＞
第１垂直フラップ部５と第２垂直フラップ部７とは、図３に示すように、第１吹出口１２と第２吹出口１３とから吹出す空気を横方向Ｄ１に吹き分けるように案内する部分であり、第１吹出口１２と第２吹出口１３とにそれぞれ設けられている。
第１垂直フラップ部５は、第１吹出口１２から吹き出される空気の風向を調整する部分であり、第１垂直フラップ５１（第１フラップ）と第１フラップモーター５０とを有する。
【００３２】
第１垂直フラップ５１は、正面視において左側に配置され、第１吹出口１２を開閉する。第１垂直フラップ５１は、第１吹出口１２の外縁とほぼ同一形状であり鉛直方向Ｄ２に長い板状を呈する第１板部５２と、第１板部５２の裏側表面に鉛直方向Ｄ２に並んで設けられた複数の第１リブ５３とを有している。第１板部５２は、開状態において第１吹出口１２から吹き出される空気を案内する部材である。第１リブ５３は、第１板部５２の裏面から略垂直に突出しており、鉛直方向Ｄ２に貫通する円形の孔が設けられている。第１板部５２の下端近傍に位置する第１リブ５３の孔には、ケーシング４に設けられた第１フラップモーター５０の駆動軸が挿入されて固定される（図５参照）。また、第１リブ５３の他の孔には、第１吹出口１２の内部に設けられた複数の突起部１４ａ−１４ｃがそれぞれ嵌合する。第１垂直フラップ５１は、第１リブ５３に設けられた孔を通り鉛直方向Ｄ２に延びる第１回転軸ＡＸ１を中心に回転自在に設けられている。なお、第１リブ５３に設けられた孔は、第１板部５２の中心よりも外側すなわち左側に偏心して設けられており、第１吹出口１２の中心からも外側に偏心している。このため、第１回転軸ＡＸ１も第１吹出口１２の中心よりも外側に位置しており、第１吹出口１２の中心と第１吹出口１２の外側端部すなわち左側端部との間に位置している。
【００３３】
第１フラップモーター５０は、鉛直方向Ｄ２に平行な第１回転軸ＡＸ１を中心に第１垂直フラップ５１を回転させる。第１フラップモーター５０は、第１垂直フラップ５１の配置角度を変更して第１垂直フラップ５１の向きを変更する。これにより、第１吹出口１２から吹き出される空気の風向が変更される。このときの第１垂直フラップ５１の動作については後に詳述する。
【００３４】
第２垂直フラップ部７は、第２吹出口１３から吹き出される空気の風向を調整する部分であり、第２垂直フラップ７１（第２フラップ）と第２フラップモーター７０とを有する。第２垂直フラップ７１は、正面視において右側に配置され、第２吹出口１３を開閉する。
第２垂直フラップ７１は、第２吹出口１３の外縁とほぼ同一形状であり鉛直方向Ｄ２に長い板状を呈する第２板部７２と、第２板部７２の裏側表面に鉛直方向Ｄ２に並んで設けられた複数の第２リブ７３とを有している。第２板部７２は、開状態において第２吹出口１３から吹き出される空気を案内する部材である。第２リブ７３は、第２板部７２の裏面から略垂直に突出しており、鉛直方向Ｄ２に貫通する円形の孔が設けられている。第２板部７２の下端部近傍に位置する第２リブ７３の孔には、ケーシング４に設けられた第２フラップモーター７０の駆動軸が挿入されて固定される。また、第２リブ７３の他の孔には、第２吹出口１３の内部に設けられた複数の突起部１５ａ−１５ｃがそれぞれ嵌合する。第２垂直フラップ７１は、第２リブ７３に設けられた孔を通り鉛直方向Ｄ２に延びる第２回転軸ＡＸ２を中心に回転自在に設けられている。なお、第２リブ７３に設けられた孔は、第２板部７２の中心よりも外側すなわち右側に偏心して設けられており、第２吹出口１３の中心からも外側に偏心している。このため、第２回転軸ＡＸ２も第２吹出口１３の中心よりも外側に位置しており、第１吹出口１２の中心と第１吹出口１２の外側端部すなわち右側端部との間に位置している。
【００３５】
第２フラップモーター７０は、第１フラップモーター５０とは別に独立して駆動可能であり、鉛直方向Ｄ２に平行な第２回転軸ＡＸ２を中心に第２垂直フラップ７１を回転させる。第２フラップモーター７０は、第２垂直フラップ７１の配置角度を変更して第２垂直フラップ７１の向きを変更する。これにより、第２吹出口１３から吹き出される空気の風向が変更される。
【００３６】
なお、図１および図３は、第１垂直フラップ５１および第２垂直フラップ７１が各吹出口１２，１３を閉じた全閉状態を示している。
〔制御部およびリモコン〕
制御部１０は、図８に示すように、ファン３、第１フラップモーター５０、第２フラップモーター７０などと接続されており、ファン３、第１フラップモーター５０、第２フラップモーター７０などを制御する。制御部１０は、第１フラップモーター５０と第２フラップモーター７０とをそれぞれ個別に制御可能であり、第１垂直フラップ部５と第２垂直フラップ部７とを別々の態様に制御することが可能である。従って、制御部１０は、第１垂直フラップ５１と第２垂直フラップ７１とを左右対称に移動させるだけではなく、非対称に移動させることができる。これにより、第１吹出口１２から吹き出される空気の風向と第２吹出口１３から吹き出される空気の風向とをそれぞれ個別に変更可能となっている。
【００３７】
リモコン１１は、床置き型空気調和機１の運転内容を使用者が指示するための入力装置であり、電源のオン・オフ、冷暖および暖房の切替、温度設定、風量設定、風向設定などの制御内容の入力を受け付けて、各入力に対応する制御信号を赤外線等の無線通信手段によって制御部１０へと送信する。例えば、リモコン１１は、第１垂直フラップ５１の向きの指定と第２垂直フラップ７１の向きの指定とをそれぞれ受け付けることができる。また、制御部１０に複数の運転モードが予め設定されており、複数の運転モードに第１垂直フラップ５１と第２垂直フラップ７１とを非対称に移動させる運転モードが含まれていてもよく、この場合、リモコン１１はいずれかの運転モードの指定を受け付ければよい。
【００３８】
〈動作〉
本発明において特徴的な第１垂直フラップ５１、第２垂直フラップ７１、第１水平フラップ８０および第２水平フラップ９０の動作および空気の流れについて詳述する。
まず、ファン３が回転すると室内の空気が第１吸込み口６１、第２吸込み口６２および側面吸い込み口６６，６７（図１参照）からケーシング４内に取り込まれる。取り込まれた空気は、ファン３の回転により、ケーシング出口３１からファン３の上方へと送られて熱交換器２を通り、第１吹出口１２及び第２吹出口１３から室内へと吹出す。このとき、第１垂直フラップ部５と第２垂直フラップ部７とによって空気の風向を左右に変更することができ、第１水平フラップ部８と第２水平フラップ部９とによって空気の風向を上下に変更することができる。
【００３９】
〔第１垂直フラップおよび第２垂直フラップの動作〕
運転停止時には、第１吹出口１２および第２吹出口１３は、図３に示すように、第１垂直フラップ部５および第２垂直フラップ部７によって閉じられている（以下、この状態を「全閉状態」という）。床置き型空気調和機１が運転を開始すると、第１垂直フラップ５１と第２垂直フラップ７１とが移動し、第１吹出口１２および第２吹出口１３が開かれる。このとき、第１フラップモーター５０と第２フラップモーター７０とが駆動され、第１垂直フラップ５１が第１回転軸ＡＸ１を中心に回転し、第２垂直フラップ７１が第２回転軸ＡＸ２を中心に回転する。第１垂直フラップ５１は、上面視において右回りに回転し、全閉状態において内側に位置していた第１板部５２の右側端部が前方へと移動する。このように、第１垂直フラップ５１は、全閉状態の第１板部５２の内側端部が第１吹出口１２の外側端部側へ近接するように回転する。また、第２垂直フラップ７１は、上面視において左回りに回転し、全閉状態において内側に位置していた第２板部７２の左側端部が前方へと移動する。このように、第２垂直フラップ７１は、全閉状態の第２板部７２の内側端部が第２吹出口１３の外側端部側へ近接するように移動する。制御部１０は、第１フラップモーター５０と第２フラップモーター７０とを制御することによって、第１垂直フラップ５１と第２垂直フラップ７１とを所望の開度に開くことができる。例えば、第１垂直フラップ５１と第２垂直フラップ７１とは、図９に示すような第１開状態、第２開状態および第３開状態に開くことができる。第１開状態は、図９（ａ）に示すように、第１板部５２の前側端部と第２板部７２の前側端部とが内側を向いた状態である。このとき、第１板部５２の前側端部は第１吹出口１２の中心よりも内側すなわち右側に位置しており、後側端部は第１吹出口１２の中心よりも外側すなわち左側に位置している。この第１開状態では、第１吹出口１２および第２吹出口１３から吹き出される空気は、床置き型空気調和機１の中心方向に集約されて吹き出される。第２開状態は、図９（ｂ）に示すように、第１板部５２の前側端部および第２板部７２の前側端部が正面を向いた状態である。このとき、第１板部５２と第２板部７２とは、正面に垂直な方向に略平行な状態となる。この状態において、第１板部５２は、第１回転軸ＡＸ１の外側に位置しており、第１吹出口１２の中心よりも外側に位置している。また、第２板部７２は、第２回転軸ＡＸ２の外側に位置しており、第２吹出口１３の中心よりも外側に位置している。この第２状態では、第１吹出口１２および第２吹出口１３から吹き出される空気は、正面方向へ真っ直ぐに吹き出される。第３開状態は、図９（ｃ）に示すように、第１板部５２と第２板部７２とが全開に開いた状態であり、第１板部５２の前側端部と第２板部７２の前側端部とが外側を向いている。このとき、第１板部５２の前側端部は、第１吹出口１２の外側端部よりも外側に位置しており、後側端部は、第１吹出口１２の中心よりも内側に位置している。第２板部７２の前側端部は、第２吹出口１３の外側端部よりも外側に位置しており、後側端部は、第１吹出口１２の中心よりも内側に位置している。この第３開状態では、第１吹出口１２および第２吹出口１３から吹き出される空気は、外側に広く吹き出される。
【００４０】
なお、第１垂直フラップ５１と第２垂直フラップ７１との開度は、上記の第１開状態から第３開状態の３段階に開かれるだけではなく、その中間の開度で開かれてもよい。また、第１垂直フラップ５１と第２垂直フラップ７１とは、段階的な開度となるだけではなく、任意の開度に開くことも可能である。
また、この床置き型空気調和機１では、第１垂直フラップ５１と第２垂直フラップ７１とは、図９に示すように左右対称に移動するだけではなく、第１垂直フラップ５１と第２垂直フラップ７１とが別々に左右非対称に移動して第１吹出口１２と第２吹出口１３とを開くことができる。例えば、図１０（ａ）に示すように、第１垂直フラップ５１は全閉状態であると共に第２垂直フラップ７１は第３開状態に開くことができる。また、図１０（ｂ）に示すように、第１垂直フラップ５１が第１開状態に開くと共に第２垂直フラップ７１が第３開状態に開くことが可能である。
【００４１】
なお、第１垂直フラップ５１と第２垂直フラップ７１とが第１吹出口１２と第２吹出口１３とを閉じる場合には、上記と逆方向に移動する。
〔第１水平フラップおよび第２水平フラップの動作〕
この床置き型空気調和機１では、第１水平フラップ群Ｇ１から第３水平フラップ群Ｇ３および第４水平フラップ群Ｇ４から第６水平フラップ群Ｇ６までがそれぞれ個別に水平フラップ８０，９０の角度を変更することができる。このため、使用者が所望の角度に各フラップ８０，９０の向きを設定することができる。例えば、図１１（ａ）に示すように、第１水平フラップ群Ｇ１から第３水平フラップ群Ｇ３までを全て上向きに設定したり、図１１（ｂ）に示すように、第１水平フラップ群Ｇ１から第３水平フラップ群Ｇ３までを全て下向きに設定したりすることが可能である。第１水平フラップ群Ｇ１から第３水平フラップ群Ｇ３までが全て上向きに設定されると、第１吹出口１２から吹き出される空気は上向きに吹き出る。このため、冷房時に冷たい空気を上方へと吹き出させたいときに効果的である。また、第１水平フラップ群Ｇ１から第３水平フラップ群Ｇ３までが全て下向きに設定されると、第１吹出口１２から吹き出される空気は下向きに吹き出る。このため、暖房時に暖かい空気を下方へと吹き出させたいときに効果的である。第４水平フラップ群Ｇ４から第６水平フラップ群Ｇ６についても同様である。
【００４２】
また、第１水平フラップ群Ｇ１から第６水平フラップ群Ｇ６はそれぞれ独立して向きを変えることができるため、図１２のように各水平フラップ８０，９０が異なる方向を向くように設定されてもよい。例えば、図１２（ａ）では、第１水平フラップ群Ｇ１は上向きに設定され、第２水平フラップ群Ｇ２は正面向きに設定され、第３水平フラップ群Ｇ３は下向きに設定されている。このため、第１吹出口１２の上部Ｓ１からは空気が上向きに吹き出され、中部Ｓ２からは空気が真っ直ぐ正面向きに吹き出され、下部Ｓ３からは空気が下向きに吹き出される。これにより、鉛直方向Ｄ２に幅広く空気を吹き出すことができ、室内を上下から包み込むような空気の流れを実現することができる。また、図１２（ｂ）に示すように、第１水平フラップ群Ｇ１は下向きに設定され、第２水平フラップ群Ｇ２は正面向きに設定され、第３水平フラップ群Ｇ３は上向きに設定されてもよい。この場合、第１吹出口１２の上部Ｓ１からは空気が下向きに吹き出され、中部Ｓ２からは空気が真っ直ぐ正面向きに吹き出され、下部Ｓ３からは空気が上向きに吹き出される。これにより、正面方向に集約されるように空気を吹き出すことができ、遠方にまで空気の流れを到達させることができる。第４水平フラップ群Ｇ４、第５水平フラップ群Ｇ５および第６水平フラップ群Ｇ６についても同様である。
【００４３】
なお、第１水平フラップ８０は、第１リンク部材８１、第２リンク部材８２、第３リンク部材８３がそれぞれ鉛直方向Ｄ２に移動することによって、連結された第１水平フラップ８０が湾曲してその向きを変更するが、第１リンク部材８１、第２リンク部材８２、第３リンク部材８３は段階的に位置を変更するだけではなく、連続的に所望の位置に変更されることも可能である。また、第１水平フラップ８０の向きは、手動で変更されるだけではなく、第１水平フラップ群Ｇ１、第２水平フラップ群Ｇ２および第３水平フラップ群Ｇ３のそれぞれに駆動モーターが設けられることによって、自動で変更されることも可能である。第２水平フラップ９０についても同様である。
【００４４】
〈特徴〉
（１）
この床置き型空気調和機１では、第１垂直フラップ５１および第２垂直フラップ７１がそれぞれ第１吹出口１２および第２吹出口１３の中心よりも外側に位置するように開かれる。従来の床置き型空気調和機のように、第１垂直フラップ５１および第２垂直フラップ７１が内側寄りに配置される場合において第１垂直フラップ５１および第２垂直フラップ７１が内側を向いた第１開状態とされると、図１３（ａ）に示すように、空気の流れが外側にも分散するため、正面方向への空気の流れの集約が困難である。これに対して、第１垂直フラップ５１および第２垂直フラップ７１がそれぞれ第１吹出口１２および第２吹出口１３の中心よりも外側に位置するように開かれると、図１３（ｂ）に示すように、空気の流れの外側への分散が抑えられるため、正面方向への空気の流れの集約性が向上する。これにより、中央方向への空気の流れの集約によって直進性が向上している。このため、遠方への空気の流れの到達が可能となっている。
【００４５】
また、この床置き型空気調和機１では、第１吹出口１２と第２吹出口１３とが横方向に距離を隔てて配置されているため、図９（ｃ）に示す第３開状態のように第１垂直フラップ５１と第２垂直フラップ７１とが左右に大きく開くことによって、左右に幅広く空気を吹き出させることも可能である。このため、左右両方向への吹き分けによる左右から包み込むような空気の流れの実現も可能である。
【００４６】
以上のように、この床置き型空気調和機１では、風向の制御範囲が拡大している。これにより、この床置き型空気調和機１では、多様な場所への設置や多様な使用方に対応することが可能である。
（２）
この床置き型空気調和機１では、第１吹出口１２からの風向と第２吹出口１３からの風向を個別に制御することができる。このため、部屋に合わせた空気の流れの分配や使用者の好みに合わせた空気の流れの分配などが可能である。また、空気の流れの分配の自由度が向上しているため、床置き型空気調和機１が配置された部屋の形状に応じて空気の流れの分配を変更したり、冷暖房等の空調が特に必要な部分にのみ気流を分配したりして空調効率を向上させることができる。例えば、床置き型空気調和機１が一方向に長い形状を呈する長部屋の角部分に配置される場合、左右に均等な方向に空気を吹き出すと、床置き型空気調和機１の対角に位置する角部分まで空気の流れを到達させることは困難である。この場合、図１４に示すように、第１吹出口１２からの風向と第２吹出口１３からの風向とを部屋の長手方向に偏った向きとすることによって、空気の流れが到達しにくかった部分まで空気の流れを到達させることができる。
【００４７】
（３）
この床置き型空気調和機１では、水平フラップ８０，９０が複数のグループに分割されており、グループ毎に水平フラップ８０，９０の向きを自由に変更することができる。このため、部屋の形状や使用者の好みなどに応じて、鉛直方向Ｄ２の吹き出しの態様を自由に選択することができる。例えば、室内を上下から包み込むような空気の流れが実現可能であり、逆に、空気の流れを集約させることによって空気の流れの到達エリアを拡大させることも可能である。
【００４８】
また、全ての水平フラップ８０，９０を同時に移動させるのではなく、各水平フラップ群Ｇ１−Ｇ３，Ｇ４−Ｇ６をそれぞれ別々に移動させることができるため、一つの水平フラップ群Ｇ１−Ｇ６を動かす場合に軽い力での操作が可能となり、操作性が向上している。
（４）
この床置き型空気調和機１では、上記のように第１垂直フラップ５１、第２垂直フラップ７１、第１水平フラップ８０および第２水平フラップ９０によって、様々な方向に空気を吹き出すことができる。このため、ファン３が複数設けられるのではなく一台しか設けられていない場合であっても、多様な空気の吹き出しが可能となっている。
【００４９】
〈第２実施形態〉
〈構成〉
上記の第１実施形態では、左右の風向の調整が個別に制御可能となっているが、左右の吹出口からの空気の風量を個別に制御可能となってもよい。本発明の第２実施形態にかかる床置き型空気調和機１の制御ブロック図を図１５に示す。
【００５０】
この床置き型空気調和機１は、第１風量調整部５８と第２風量調整部７８とを備える。第１風量調整部５８は、第１吹出口１２の開口面積を変更する第１シャッター機構を有し、第１吹出口１２から吹き出される空気の風量を調整することができる。第２風量調整部７８は、第２吹出口１３の開口面積を変更する第２シャッター機構を有し、第２吹出口１３から吹き出される空気の風量を調整することができる。そして、制御部１０は、第１風量調整部５８と第２風量調整部７８とをそれぞれ個別に制御可能であり、第１吹出口１２から吹き出される空気の風量と第２吹出口１３から吹き出される空気の風量とをそれぞれ個別に変更可能である。また、使用者は、第１風量調整部５８および第２風量調整部７８による空気の風量の調整をリモコン１１に入力することによって、第１吹出口１２からの風量と第２吹出口１３からの風量とをそれぞれ所望の量に調整することができる。この場合、第１実施形態と同様に、第１風量調整部５８と第２風量調整部７８とのそれぞれに対して風量の変更を入力することができる場合だけではなく、運転モードの指定によって第１風量調整部５８と第２風量調整部７８とをそれぞれ別々に動作させることも可能である。
【００５１】
他の構成については、第１実施形態にかかる床置き型空気調和機１と同様である。
〈特徴〉
この床置き型空気調和機１では、第１吹出口１２からの風向と第２吹出口１３からの風量を個別に制御することができため、部屋に合わせた空気の流れの分配や使用者の好みに合わせた空気の流れの分配などが可能である。また、空気の流れの分配の自由度が向上しているため、床置き型空気調和機１が配置された部屋の形状に応じて空気の流れの分配を変更したり、冷暖房等の空調が特に必要な部分にのみ気流を分配したりして空調効率を向上させることができる。例えば、床置き型空気調和機１が一方向に長い形状を呈する長部屋の角部分に配置される場合、図１６に示すように、室内の長手方向に面する側の吹出口からの風量を増大させ、他方の吹出口からの風量を減少させるとよい。これにより、空気の流れが到達しにくかった部分まで空気の流れを到達させることができる。
【００５２】
〈他の実施形態〉
（１）
上記の実施形態に係る床置き型空気調和機１では、第１回転軸ＡＸ１および第２回転軸ＡＸ２がそれぞれ外側に偏心して配置されることによって、第１垂直フラップ５１と第２垂直フラップ７１とが外側に偏心して開かれているが、第１回転軸ＡＸ１および第２回転軸ＡＸ２がそれぞれ第１吹出口１２の中心と第２吹出口１３の中心とに配置されてもよい。このような場合も、例えば、第１リブ５３の形状や第１リブ５３の孔の位置を第１板部５２から離れた位置にすることによって、第１垂直フラップ５１が外側に偏心するように第１吹出口１２を開くことが可能である。ただし、第１吹出口１２や第１垂直フラップ５１の寸法上の制限を考慮すると、第１回転軸ＡＸ１を外側に偏心させた配置がより望ましい。第２垂直フラップ７１についても同様である。
【００５３】
（２）
上記の実施形態に係る床置き型空気調和機１では、第１垂直フラップ５１は、上面視において右回りに回転して第１吹出口１２を開いているが、左回りに回転して第１吹出口１２を開いてもよい。第２垂直フラップ７１についても同様である。
（３）
上記の実施形態に係る床置き型空気調和機１では、第１垂直フラップ５１と第２垂直フラップ７１とが回転することによって第１吹出口１２と第２吹出口１３とを開いているが、回転移動に限らず他の態様で移動することによって第１吹出口１２と第２吹出口１３とが開かれてもよい。
【００５４】
（４）
上記の実施形態に係る床置き型空気調和機１は、第１実施形態において示した第１垂直フラップ部５および第２垂直フラップ部７と、第２実施形態において示した第１風量調整部５８および第２風量調整部７８とのいずれか一方のみを備えるものに限らず、両方を同時に備えるものであってもよい。
【００５５】
（５）
上記の実施形態に係る床置き型空気調和機１では、第１水平フラップ８０は、鉛直方向に３つのグループに分かれているが、２以上のグループに分かれるものであればよく、例えば、２つ或いは４つのグループに分かれていてもよい。第２水平フラップ９０についても同様である。
【産業上の利用可能性】
【００５６】
本発明は、正面方向への空気の流れを容易に実現することができる効果を有し、床置き型空気調和機として有用である。
【図面の簡単な説明】
【００５７】
【図１】床置き型空気調和機の外観の正面図。
【図２】床置き型空気調和機の構成を示す正面図。
【図３】床置き型空気調和機の構成を示す上面断面図。
【図４】床置き型空気調和機の構成を示す側面断面図。
【図５】第１水平フラップ部および第２水平フラップ部の構成を示す正面図。
【図６】第１水平フラップ部の構成の詳細を示す斜視図。
【図７】第１水平フラップ部の構成の詳細を示す斜視図。
【図８】第１実施形態に係る床置き型空気調和機の制御ブロック図。
【図９】第１垂直フラップおよび第２垂直フラップの動作を示す図。
【図１０】第１垂直フラップおよび第２垂直フラップの動作を示す図。
【図１１】第１水平フラップおよび第２水平フラップの動作を示す図。
【図１２】第１水平フラップおよび第２水平フラップの動作を示す図。
【図１３】本発明の吹き出しに関する効果を示す模式図。
【図１４】本発明の吹き出しに関する効果を示す模式図。
【図１５】第２実施形態に係る床置き型空気調和機の制御ブロック図。
【図１６】本発明の吹き出しに関する効果を示す模式図。
【符号の説明】
【００５８】
１      床置き型空気調和機
４      ケーシング
１２    第１吹出口
１３    第２吹出口
５１    第１垂直フラップ（第１フラップ）
５２    第１板部
７１    第２垂直フラップ（第２フラップ）
７２    第２板部
ＡＸ１  第１回転軸
ＡＸ２  第２回転軸
Ｄ１    横方向
【図１】
2006064217.tif 000003
【図２】
2006064217.tif 000004
【図３】
2006064217.tif 000005
【図４】
2006064217.tif 000006
【図５】
2006064217.tif 000007
【図６】
2006064217.tif 000008
【図７】
2006064217.tif 000009
【図８】
2006064217.tif 000010
【図９】
2006064217.tif 000011
【図１０】
2006064217.tif 000012
【図１１】
2006064217.tif 000013
【図１２】
2006064217.tif 000014
【図１３】
2006064217.tif 000015
【図１４】
2006064217.tif 000016
【図１５】
2006064217.tif 000017
【図１６】
2006064217.tif 000018